(57)【要約】      （修正有）【課題】受信感度を向上させるとともに、外部アンテナ用の接続プラグが接続リセプタクルから抜けたり、外部アンテナ用の接続線が携帯用電子機器の重量に耐えきれずに破断したりすることを防止する。【解決手段】アンテナ内蔵ストラップ１Ａは、人体の首から懸架可能となるような大きさで形成されているストラップ部２ａおよび携帯用電子機器をストラップ部の一部分に連結させる連結部２ｃとを有するストラップ本体２と、ストラップ部２ａの内部に配設された外部アンテナ３と、外部アンテナ３と携帯用電子機器１１とを電気的に接続する信号線５ａ、５ｂを有して形成された接続線５と、携帯用電子機器１１に接続線５を接続する接続プラグ５ｃとを備えている。接続線５は、携帯用電子機器１１に連結部２ｃを連結させるとともに接続プラグ５を接続させて人体の一部分からストラップ本体２を懸架した際に、接続線５が弛むような長さ（Ｓ≫Ｄ）で形成される。【選択図】図１
2006319735.tif 000002
【特許請求の範囲】
【請求項１】
中空紐の両端付近を結束して環状に形成されているとともに、人体の首や手首などの人体の一部分から当該環を懸架することが可能となるような大きさを有して形成されているストラップ部と、無線通信手段を備える携帯用電子機器を前記ストラップ部の一部分に連結させる連結部とを有するストラップ本体と、
前記ストラップ部の内部に配設されている外部アンテナと、
前記外部アンテナと前記携帯用電子機器とを電気的に接続する信号線を有して形成されている接続線と、
前記携帯用電子機器に前記接続線を接続する接続プラグと
を備えているアンテナ内蔵ストラップであって、
前記接続線は、前記携帯用電子機器に前記連結部を連結させるとともに前記接続プラグを接続させて人体の一部分から前記ストラップ本体を懸架した際に、前記接続線が弛むような長さを有して形成されている
ことを特徴とするアンテナ内蔵ストラップ。
【請求項２】
前記接続線は、前記接続線と前記接続プラグとの接続部分もしくは前記接続線の一部分に、複数の接続プラグを取替自在にするための接続コネクタを有して形成されている
ことを特徴とする請求項１に記載のアンテナ内蔵ストラップ。
【請求項３】
前記接続線は、外部アンテナに接続している外部アンテナ側信号線と、形状の異なる複数の接続プラグにそれぞれ接続している複数の接続プラグ側信号線と、複数の前記接続プラグ側信号線を選択的に切り換えて前記外部アンテナ側信号線に接続する切替手段とを有して形成されている
ことを特徴とする請求項１に記載のアンテナ内蔵ストラップ。
【請求項４】
前記外部アンテナは、地上デジタルテレビジョン放送に用いられる電波の波長に１／４もしくは１／２を乗じて得た長さを有して形成されている
ことを特徴とする請求項１から３のいずれか１項に記載のアンテナ内蔵ストラップ。
【請求項５】
前記ストラップ本体は、前記携帯用電子機器に内蔵されたチューナを制御する遠隔制御手段を有している
ことを特徴とする請求項１から４のいずれか１項に記載のアンテナ内蔵ストラップ。
【発明の詳細な説明】
【技術分野】
【０００１】
本発明は、アンテナ内蔵ストラップに係り、特に、無線通信を利用する携帯用電子機器に接続する外部アンテナとして好適に利用可能となるアンテナ内蔵ストラップに関する。
【背景技術】
【０００２】
従来より、携帯電話機、ＰＤＡ（個人用携帯情報端末機）その他の無線通信を利用する携帯用電子機器（以下、単に「携帯用電子機器」という。）において、所望の受信感度と高い携帯性を得るため、イヤホーンやヘッドホーンなどの端末機器類の接地線を利用した外部アンテナが用いられることがある。その一例としては、図１０に示すようなダイバーシティアンテナ兼用ヘッドホーン１１０や、図１１に示すような携帯電話機用ストラップ１２０が挙げられる。
【０００３】
ダイバーシティアンテナ兼用ヘッドホーン１１０は、その一例として、図１０に示すように、ヘッドホーンのスピーカ部１１１と、スピーカ部１１１に接続される音声信号線１１２ａや接地線１１２ｂなどの信号線を有する接続線１１２と、携帯用電子機器１０１に配設された接続リセプタクル（携帯用電子機器１０１側のコネクタ）１０１ａと接続線１１２とを接続する接続プラグ１０５ｃとを有して形成されている。このダイバーシティアンテナ兼用ヘッドホーン１１０は、スピーカ部１１１に接続された接続線１１２の接地線１１２ｂが所望の電波を受信し、受信電波の電気信号を当該携帯用電子機器１０１に伝送することが可能となっている（特許文献１を参照）。
【０００４】
また、携帯電話機用ストラップ１２０は、その一例として、図１１に示すように、ループ状紐体１２３と、ループ状紐体１２３の一部分から延出しているイヤホーン部１２１と、イヤホーン部１２１に接続される音声信号線１２２ａおよび接地線１２２ｂなどの信号線を有する接続線１２２と、携帯用電子機器１０１の接続リセプタクル１０１ｃに係合する係止突片（図示せず）を有する接続プラグ１０５ｄとを備えている。この携帯電話機用ストラップ１２０は、人体の首から懸架可能な大きさを有するループ状紐体１２３と、ループ状紐体１２３に連結して接続された係止突片付の接続プラグ１０５ｄとを有していることから、イヤホーン部１２１に接続された接続線１２２の接地線１２２ｂが所望の電波を受信して受信電波の電気信号を当該携帯用電子機器１０１に伝送するとともに、接続プラグ１０５ｄを介してループ状紐体１２３が当該携帯用電子機器１０１を懸架することが可能となっている。（特許文献２を参照）。
【０００５】
【特許文献１】特開２００３−１６３５２９号公報
【特許文献２】特開２００１−２５１４０７号公報
【発明の開示】
【発明が解決しようとする課題】
【０００６】
しかしながら、ダイバーシティアンテナ兼用ヘッドホーン１１０においては、図１０に示すように、接続プラグ１０５ｃが接続リセプタクル１０１ａとの摩擦のみによって携帯用電子機器１０１と接続されていることから、当該携帯用電子機器１０１が利用主体によって保持されていない場合、図１２に示すように、当該携帯用電子機器１０１の重量によって、接続プラグ１０５ｃから当該携帯用電子機器１０１が抜け落ちてしまうという問題があった。
【０００７】
また、携帯電話機用ストラップ１２０においては、図１１に示すように、係止突片を有する接続プラグ１０５ｄが当該携帯用電子機器１０１の接続リセプタクル１０１ｃに係合することによって、当該携帯用電子機器１０１を懸架することが可能となっているが、元来、その懸架に用いられている接続線１２２、接続プラグ１０５ｄおよび接続リセプタクル１０１ｃは、重量物である当該携帯用電子機器１０１を懸架するために形成されたものでないことから、その懸架の際に、接続線１２２、接続プラグ１０５ｄおよび接続リセプタクル１０１ｃが破断もしくは破損するおそれがあった。特に、接続プラグ１０５ｄや接続リセプタクル１０１ｃよりも強度が弱い接続線１２２は、図１３に示すように、携帯用電子機器１０１の重量に耐えきれずに、上記３つのなかでも最も早く破断するおそれがあった。
【０００８】
そして、ダイバーシティアンテナ兼用ヘッドホーン１１０や携帯電話機用ストラップ１２０などに用いられる接続プラグ１０５ｃ、１０５ｄなどの接続プラグは、携帯用電子機器１０１に配設された接続レセプタクル１０１ａ、１０１ｂなどの複数の接続レセプタクルのうち、１つのみに適合する形状に形成されている。このことから、図１４に示すように、当該接続プラグ１０５ｄ（もしくは１０５ｃ）および接続線１２２（もしくは１１２）は、携帯用電子機器１０１を利用する利用主体の保持方法に係わりなく、常に、携帯用電子機器１０１のある一定の場所に配設されることになる。そのため、電波を受信する接地線１２１ｂ、１２２ｂなどの信号線を有する接続線１２２（もしくは１１２）が人体の手Ｈなどによって変形したり、覆われたりすると、外部アンテナ（接地線１２１ｂ、１２２ｂ）の受信感度を低減させるような影響を与えるおそれがあるという問題があった。
【０００９】
そこで、本発明はこれらの点に鑑みてなされたものであり、携帯用電子機器の受信感度を向上させるとともに、外部アンテナ用の接続プラグが携帯用電子機器の接続リセプタクルから抜けたり、外部アンテナ用の接続線が携帯用電子機器の重量に耐えきれずに破断したりすることを防止することが可能となるアンテナ内蔵ストラップを提供することを本発明の目的としている。
【００１０】
また、不要なノイズを含むことなく受信することが可能となるアンテナ内蔵ストラップを提供することを他の目的としている。
【００１１】
さらに、アンテナ内蔵ストラップの利便性を向上することが可能となるアンテナ内蔵ストラップを提供することを他の目的としている。
【課題を解決するための手段】
【００１２】
前述した目的を達成するため、本発明のアンテナ内蔵ストラップは、中空紐の両端付近を結束して環状に形成されているとともに、人体の首や手首などの人体の一部分から当該環を懸架することが可能となるような大きさを有して形成されているストラップ部と、無線通信手段を備える携帯用電子機器をストラップ部の一部分に連結させる連結部とを有するストラップ本体と、ストラップ部の内部に配設されている外部アンテナと、外部アンテナと携帯用電子機器とを電気的に接続する信号線を有して形成されている接続線と、携帯用電子機器に接続線を接続する接続プラグとを備えている。
【００１３】
そして、本発明のアンテナ内蔵ストラップは、一の態様として、接続線が、携帯用電子機器に連結部を連結させるとともに接続プラグを接続させて人体の一部分からストラップ本体を懸架した際に、接続線が弛むような長さを有して形成されていることを特徴としている。
【００１４】
これによって、携帯用電子機器に連結部を連結して人体の一部分からストラップ本体を懸架した際に、携帯用電子機器は連結部およびストラップ部を有するストラップ本体のみによって支えることが可能となり、携帯用電子機器の重量によって生じる引張応力を接続線に加えないようにすることが可能となる。
【００１５】
また、本発明のアンテナ内蔵ストラップにおいては、接地線などの接続線の信号線から電波を受信させる場合は、信号線と外部アンテナとを別個に配設したり、信号線の一部分に外部アンテナを一体に形成しても良い。
【００１６】
また、本発明のアンテナ内蔵ストラップにおいては、他の態様として、接続線は、接続線と接続プラグとの接続部分もしくは接続線の一部分に、複数の接続プラグを取替自在にするための接続コネクタを有して形成されていることが好ましい。
【００１７】
これによって、その保持方向の変化に応じて接続プラグを取り替えることが可能となるため、携帯用電子機器の保持方向を縦／横に変化させても人体の手によって生じる受信感度の低下を少なくすることが可能となる。
【００１８】
また、本発明のアンテナ内蔵ストラップにおいては、他の態様として、接続線は、外部アンテナに接続している外部アンテナ側信号線と、形状の異なる複数の接続プラグにそれぞれ接続している複数の接続プラグ側信号線と、複数の接続プラグ側信号線を選択的に切り換えて外部アンテナ側信号線に接続する切替手段とを有して形成されていることが好ましい。
【００１９】
これによって、携帯用電子機器の保持方向に応じて、複数の接続プラグ側信号線から人体からの影響を最も受けにくい接続プラグ側信号線を接続線として使用することが可能となる。また、複数の接続プラグ側信号線を選択的に切り換えることにより、使用しないその他の接続プラグ側信号線から不要な電波を受信しないようにすることが可能となる。
【００２０】
また、本発明のアンテナ内蔵ストラップにおいては、他の態様として、外部アンテナの全長は、地上デジタルテレビジョン放送に用いられる電波の波長に１／４もしくは１／２を乗じて得た値に設定されていることが好ましい。
【００２１】
これによって、地上デジタルテレビジョン放送を効率よく受信することが可能となる。
【００２２】
そして、本発明のアンテナ内蔵ストラップにおいては、他の態様として、ストラップ本体は、携帯用電子機器に内蔵されたチューナを制御する遠隔制御手段を有していることが好ましい。
【００２３】
これによって、携帯用電子機器を直接的に操作することなく、携帯用電子機器に表示された地上デジタル音声放送のチャンネル（周波数）選択や音量などをアンテナ内蔵ストラップのみにより適宜選択することが可能となり、もって携帯用電子機器の利便性を向上させることが可能となる。
【発明の効果】
【００２４】
本発明のアンテナ内蔵ストラップは、前記のように形成されていることから、携帯用電子機器による引張応力が接続線に生じることを防止することが可能となる。そのため、当該接続プラグから携帯用電子機器が抜け落ちたり、接続線が携帯用電子機器の重量に耐えきれずに破断したりすることを防止する効果を奏する。
【００２５】
また、本発明のアンテナ内蔵ストラップによって、携帯用電子機器に接続する接続線の取付位置を選択的に変更することが可能となり、当該携帯用電子機器等の受信感度の低下を防止するという効果を奏する。
【００２６】
さらに、本発明のアンテナ内蔵ストラップは、携帯用電子機器のチューナに接続された制御手段を制御する遠隔制御手段を有していることから、アンテナ内蔵ストラップの利便性が向上するという効果を奏する。
【発明を実施するための最良の形態】
【００２７】
以下、図１から図９を用いて、本発明のアンテナ内蔵ストラップの各実施形態を説明する。
【００２８】
ここで、図１は、第１の実施形態のアンテナ内蔵ストラップを示している。なお、図１（ａ）は、携帯用電子機器との未接続状態、図１（ｂ）は、携帯用電子機器との接続状態を示している。図２は、各実施形態のアンテナ内蔵ストラップの外部アンテナに同軸ケーブルを有する接続線が接続された状態を示したしている。図３は、各実施形態のアンテナ内蔵ストラップの回路図を概念的に示している。
【００２９】
また、図４は、第２の実施形態のアンテナ内蔵ストラップの一態様を示している。図５は、第２の実施形態のアンテナ内蔵ストラップの他の態様を示している。図６は、第２もしくは第３の実施形態のアンテナ内蔵ストラップを接続した携帯用電子機器を横方向に保持した状態を示している。図７は、第２もしくは第３の実施形態のアンテナ内蔵ストラップを接続した携帯用電子機器を縦方向に保持した状態を示している。
【００３０】
そして、図８は、第３の実施形態のアンテナ内蔵ストラップを示している。図９は、第３の実施形態のアンテナ内蔵ストラップに配設された切替手段を概念的に示している。
【００３１】
では、第１から第３までの各実施形態のアンテナ内蔵ストラップを順に説明する。
【００３２】
（１）第１の実施形態
第１の実施形態のアンテナ内蔵ストラップ１Ａは、図１（ａ）および（ｂ）に示すように、携帯用電子機器１１に接続して利用することが可能となるように形成されている。具体的には、このアンテナ内蔵ストラップ１Ａは、図１に示すように、ストラップ本体２、接続線５（５：５Ａ、５Ｂ、５Ｃの総括符号）、外部アンテナ３および遠隔制御手段６を有している。
【００３３】
このストラップ本体２は、図１（ａ）に示すように、ストラップ部２ａ、結束部２ｂおよび連結部２ｃを有している。
【００３４】
ストラップ本体２のストラップ部２ａは、合成樹脂繊維を編み込むことによって、可撓性を有する帯状の中空紐（ストラップ）となるように形成されている。また、この中空状のストラップ部２ａの両端付近は、図１に示すように、結束部２ｂによって結束されることにより、中空紐（ストラップ）が環状に形成されている。そして、この環状に形成されたストラップ部２ａは、人体の首に掛けると結束部２ｂが人体の胸部から腹部までの間の部位に配置されるような長さを有して形成されている。
【００３５】
ストラップ部２ａの両端付近を結束する結束部２ｂは、ＡＢＳ（アクリルニトリル・ブタジエン・スチレン共重合体）樹脂などの機械的特性に優れた合成樹脂を用いて、軽量かつ耐衝撃性に優れた丸形箱状に形成されている。また、この結束部２ｂの内部においては、ストラップ部２ａの両端付近が結束されている。
【００３６】
結束部２ｂの外部におけるストラップ部２ａと対向する位置には、携帯用電子機器１１を連結する連結部２ｃが形成されている。この連結部２ｃは、携帯用電子機器１１を連結させても破断しないような強靱な合成樹脂繊維を環状にして形成されている。この環状の連結部２ｃは、携帯用電子機器１１に形成されたＬ字もしくはＵ字トンネル状の取付孔１１ｂに挿通して結び付けることが可能な程度の長さを有して形成されている。
【００３７】
外部アンテナ３は、図１（ａ）に示すように、ストラップ部２ａの内部に配設されている。この外部アンテナ３は、図２に示すように、ストラップ部２ａの長手方向に沿って形成された薄膜状のダイポールアンテナ３ｂ、３ｃを矩形状の可撓性絶縁基板３ａ上に有して形成されており、そのダイポールアンテナ３ｂ、３ｃの全長Ｌ１が、地上デジタルテレビジョン放送に用いられる電波の波長に１／２を乗じて得た値に設定されている。
【００３８】
接続線５は、図２に示すように、外部アンテナ３の端部に接続されている。この接続線５は、同軸ケーブルを用いて、携帯用電子機器１１の電源１９に接続された給電線５ａや、携帯用電子機器１１の接地導体１９ａに接続された接地線５ｂなどの信号線を有するように形成されている。
【００３９】
接続プラグ５ｃは、外部アンテナ３に接続していない接続線５の端部（以下、「接続部」という）５ｓに接続されている。この接続プラグ５ｃは、携帯電話機用角形コネクタ（ＥＩＡＪ  ＲＣ−５２４０）に用いられているプラグなどの携帯用電子機器１１に用いられる接続プラグとして規格化された形状に形成されている。
【００４０】
そして、接続線５においては、結束部２ｂの外部から内部へ接続線５を挿通させる挿通部２ｓから接続部５ｓまでの長さＳが、図１（ｂ）に示すように、携帯用電子機器１１に連結部２ｃを連結させるとともに接続プラグ５ｃを接続させて人体の一部分からストラップ本体２を懸架した際に、携帯用電子機器１１の接続リセプタクル１１ａに接続プラグ５ｃを接続させるために最低限必要な長さとなる長さ、すなわち連結時における挿通部２ｓから接続部５ｓまでの最短距離Ｄよりもかなり長くなるように形成されている。つまり、この接続線５は、人体の首からストラップ本体２を懸架した状態において接続線５が弛むような長さＳ（図１（ａ）を参照）を有して形成されている。
【００４１】
前述のように形成された接続線５は、接続プラグ５ｃを介して、携帯用電子機器１１に接続されている。この携帯用電子機器１１は、図３に示すように、ホイップアンテナ１２、内蔵アンテナ１３、アンテナ切替手段１４、チューナ１５、電源１９、制御手段１６、ディスプレイ１７およびスピーカ１８を有している。
【００４２】
携帯用電子機器１１のホイップアンテナ１２は、当該携帯用電子機器１１が送受信する電波の波長の１／４倍の長さを有して形成されており、携帯用電子機器１１の筐体に対して出し入れ自在に配設されている。また、内蔵アンテナ１３は、アルミニウムや銅などの金属材料を用いて矩形平板状に形成されており、その長手方向がホイップアンテナ１２の長手方向に対して直角をなすように携帯用電子機器１１の筐体内部に配設されている。
【００４３】
アンテナ切替手段１４は、ホイップアンテナ１２、内蔵アンテナ１３および接続プラグ５ｃが差し込まれる接続リセプタクル（携帯用電子機器側のコネクタ）１１ａに接続されており、ホイップアンテナ１２、内蔵アンテナ１３および外部アンテナ３から得られた受信電波の電気信号を適宜切替もしくは合成するように形成されている。
【００４４】
アンテナ切替手段１４に接続しているチューナ１５は、地上デジタル音声放送用チューナとなるように形成されており、受信電波の電気信号から所望のチャンネル（周波数）の電気信号を選別し、受信電波に映像信号を含んでいる場合においては音声信号と映像信号とを分離するように形成されている。また、このチューナ１５は、分離した映像信号と音声信号とを制御手段１６に伝送するように形成されている。
【００４５】
チューナ１５に接続された制御手段１６は、所望のチャンネル（周波数）の電気信号をチューナ１５に選別させる制御を行うように形成されている。また、この制御手段１６は、チューナ１５から得られた映像信号をディスプレイ１７に伝送して所望の画像を表示し、チューナ１５から得られた音声信号をスピーカ１８に伝送して所望の音声を出力する制御を行えるように形成されている。そして、この制御手段１６は、電源１９にも接続されており、電源１９に接続された各種部材に所望の電源１９を伝送する制御を行うように形成されている。
【００４６】
電源１９は、携帯用電子機器１１の各種部材１４〜１８に駆動電力を供給するように形成されている。また、この電源１９は、アンテナ切替手段１４を介して、ホイップアンテナ１２、内蔵アンテナ１３および外部アンテナ３に給電するように形成されている。そして、この電源１９は、外部アンテナ３およびその他の接地線を有する各部材や各手段と接続する接地導体１９ａを有して形成されている。
【００４７】
前述した携帯用電子機器１１の電源１９および制御手段１６には、アンテナ内蔵ストラップ１Ａの遠隔制御手段６が接続されている。この遠隔制御手段６は、図３に示すように、直流電流を給電する携帯用電子機器１１の電源１９から給電線６ａを介して直列に接続された複数の抵抗Ｒの間およびその列の後端にそれぞれスイッチ７Ａ、７Ｂ、７Ｃ、７Ｄの一端を接続し、また、それら各スイッチ７Ａ、７Ｂ、７Ｃ、７Ｄの他端に電源１９の接地導体１９ａと接続された接地線６ｂを接続することにより形成されている。このスイッチ７Ａ、７Ｂ、７Ｃ、７Ｄは、薄型化が容易なメンブレンスイッチを用いて形成されており、図１に示すように、そのスイッチ７Ａ、７Ｂ、７Ｃ、７Ｄの入力面７ａ、７ｂ、７ｃ、７ｄがストラップ部２ａの表面に一体となって形成されている。また、このスイッチ７Ａ、７Ｂ、７Ｃ、７Ｄの入力面７ａ、７ｂ、７ｃ、７ｄとなるストラップ部２ａの表面には、図１に示すように、所望のチャンネル（周波数）の選出に用いられているマーク７ａ、７ｂや、音量の調整に用いられているマーク７ｃ、７ｄが形成されている。そして、遠隔制御手段６の給電線６ａおよび接地線６ｂは、接続プラグ５ｃを介して、携帯用電子機器１１の電源１９および制御手段１６に接続するように配設されている。
【００４８】
次に、図１から図３を用いて、第１の実施形態のアンテナ内蔵ストラップ１Ａの作用を説明する。
【００４９】
第１の実施形態のアンテナ内蔵ストラップ１Ａは、連結部２ｃを介して携帯用電子機器１１の取付孔１１ｂに連結することが可能となっている。また、このアンテナ内蔵ストラップ１Ａは、ストラップ部２ａの内部に配設された外部アンテナ部３と接続している接続線５を有している。この接続線５は、図１（ａ）、（ｂ）に示すように、携帯用電子機器１１の取付孔１１ｂに連結部２ｃを連結させつつ、携帯用電子機器１１に配設された接続リセプタクル１１ａに接続プラグ５ｃを接続させて、人体の首からストラップ本体２を懸架した際に、接続線５が弛むような長さＳを有して形成されている。これによって、第１の実施形態のアンテナ内蔵ストラップ１Ａは、携帯用電子機器１１に連結部２ｃを連結して人体の首からストラップ本体２を懸架した際に、接続線５に引張応力が生じることを防止することから、接続プラグ５ｃから携帯用電子機器１１が抜け落ちたり、携帯用電子機器１１の重量に耐えきれずに接続線５が破断することを防止することが可能となっている。
【００５０】
また、接続線５に接続された外部アンテナ３は、地上デジタルテレビジョン放送用電波を受信する半波長ダイポールアンテナとなるように形成されていることから、地上デジタルテレビジョン放送用電波を効率よく受信することが可能となっている。
【００５１】
そして、第１の実施形態のアンテナ内蔵ストラップ１Ａの接続線５が接続された携帯用電子機器１１は、携帯用電子機器１１のホイップアンテナ１２および内蔵アンテナ１３ならびにアンテナ内蔵ストラップ１Ａの外部アンテナ３を利用することにより、空間ダイバーシティ効果を得ることが可能となる。そのため、当該携帯用電子機器１１は、所望の地上デジタル音声放送用電波を効率よく受信することが可能となる。それら３つのアンテナによって受信された電波は、電気信号に変えられて、その後にアンテナ切替手段１４を介してチューナ１５に送られる。チューナ１５は、当該受信電波の電気信号から所望のチャンネル（周波数）の電気信号を選別し、映像信号と音声信号とを分離すると、当該映像信号と音声信号とを制御手段１６に伝送する。そして、制御手段１６は、映像信号をディスプレイ１７に伝送して所望の画像を表示するとともに、チューナ１５から得られた音声信号をスピーカ１８に伝送して所望の音声を出力する制御を行なう。
【００５２】
ここで、第１の実施形態のアンテナ内蔵ストラップ１Ａは、接続プラグ５ｃを介して当該携帯用電子機器１１に接続された遠隔制御手段６を有しており、この遠隔制御手段６が、図１および図３に示すように、所望の地上デジタル音声放送用チャンネル（周波数）の選出や、地上デジタル音声放送の音量の調整を行なうためのスイッチ７Ａ、７Ｂ、７Ｃ、７Ｄを有している。これにより、携帯用電子機器１１に配設された制御用スイッチ（図示せず）を操作することなく、アンテナ内蔵ストラップ１Ａのみにより、地上デジタル音声放送のチャンネル（周波数）や音量などを適宜選択することが可能となっている。
【００５３】
なお、前述した第１の実施形態のアンテナ内蔵ストラップ１Ａにおいては、人体の首からストラップ部２ａを懸架して利用することを想定して、そのストラップ部２ａの長さが決められているが、人体の手首からストラップ部２ａを懸架して利用することを想定して、そのストラップ部２ａの長さが決定されていても良い。
【００５４】
また、第１の実施形態のアンテナ内蔵ストラップ１Ａは、外部アンテナ３を地上デジタル音声放送用アンテナとして形成しているが、この外部アンテナ３の全長を変更することにより、当該外部アンテナ３が地上デジタル音声放送用電波の周波数帯域とは異なる周波数帯域の電波を受信するように形成されていても良い。
【００５５】
（２）第２の実施形態
以下、図４から図７を用いて、第２の実施形態のアンテナ内蔵ストラップ１Ｂを説明する。
【００５６】
第２の実施形態のアンテナ内蔵ストラップ１Ｂにおいては、図４および図５に示すように、２種類の接続プラグ５ｃ、５ｄを利用して、接続線５Ｂを携帯用電子機器１１の所定の箇所に接続するように形成されている。
【００５７】
図４は、１本の接続線５Ｂに対して、２種類の接続プラグ５ｃ、５ｄを交換して接続する場合を示している。接続線５Ｂの接続部５ｓには、接続コネクタ５ｐが形成されており、各接続プラグ５ｃ、５ｄには、接続コネクタ５ｐと係合する接続コネクタ５ｒが形成されている。各接続プラグ５ｃ、５ｄは、それぞれ携帯用電子機器１１の異なる接続リセプタクル１１ａ、１１ｃに接続されるように形成されている。
【００５８】
図５は、２種類の接続プラグ５ｃ、５ｄにそれぞれ接続線５ｂを取り付け、ストラップ本体２の結束部２ｂの１個の挿通部２ｃに交換して接続する場合を示している。各接続線５ｂの端部には、接続コネクタ５ｒがそれぞれ形成され、挿通部２ｓに接続コネクタ５ｐが形成されている。
【００５９】
第２の実施形態のアンテナ内蔵ストラップ１Ｂの接続線５Ｂは、前述したように形成されているので、アンテナ内蔵ストラップ１Ｂの利用主体は、図６に示すように、携帯用電子機器１１を横方向に両手で保持した場合には、接続プラグ５ｃのみが接続可能な接続リセプタクル１１ａに対して、接続プラグ５ｃを取り付けた接続線５Ｂを接続して利用することができる。また、この利用主体は、図７に示すように、携帯用電子機器１１を縦方向に片手で保持した場合には、接続プラグ５ｄのみが接続可能な接続リセプタクル１１ｃに対して、接続プラグ５ｄを取り付けた接続線５Ｂを接続して利用することが可能となっている。これより、従来例に示す図１４のように、携帯用電子機器１１を持つ人体の手Ｈが接続線１２２を覆うようなことがなくなるため、携帯用電子機器１１の保持方向を縦（図７）／横（図６）に変化させても、人体の手Ｈによって生じる受信感度の低下を少なくすることが可能となっている。
【００６０】
（３）第３の実施形態
以下、図８および図９を用いて、第３の実施形態のアンテナ内蔵ストラップ１Ｃを説明する。
【００６１】
第３の実施形態のアンテナ内蔵ストラップ１Ｃは、図８に示すように、一端部に２種類の接続プラグ５ｃ、５ｄを有する２本の接続線５Ｃの他端部を、それぞれストラップ本体２の結束部２ｂに接続し、切替手段９をもって接続状態を切り換えるように形成されている。
【００６２】
この接続線５Ｃは、切替手段９をもって、外部アンテナ３に接続している外部アンテナ側信号線５１と、２つの接続プラグ側信号線５２、５３との接続を選択的に切り換えてられる。
【００６３】
外部アンテナ側信号線５１および接続プラグ側信号線５２、５３は、第１の実施形態と同様、携帯用電子機器１１の電源１９に接続される給電線５ａや、携帯用電子機器１１の接地導体１９ａに接続される接地線５ｂなどの信号線を意味するものである。
【００６４】
また、切替手段９は、図８および図９に示すように、接続プラグ側信号線５２、５３を選択的して接続する切替バー９ａを有して形成されており、その切替バー９ａがストラップ本体２の結束部２ｂの表面に形成されるようにして配設されている。
【００６５】
第３の実施形態のアンテナ内蔵ストラップ１Ｃの接続線５Ｃは、このように形成されているので、アンテナ内蔵ストラップ１Ｃの利用主体は、図６に示すように、携帯用電子機器１１を横方向に両手で保持した場合には、接続プラグ５ｃのみが接続可能な接続リセプタクル１１ａに対して、接続プラグ５ｃを有する接続プラグ側信号線５２を接続し、切替手段９によって接続プラグ側信号線５２を選択することにより、接続プラグ側信号線５２を接続線５Ｃとして利用することができる。また、この利用主体は、図７に示すように、携帯用電子機器１１を縦方向に片手で保持した場合には、接続プラグ５ｄのみが接続可能な接続リセプタクル１１ｃに対して、接続プラグ５ｄを有する接続プラグ側信号線５３を接続し、切替手段９によって接続プラグ側信号線５３を選択することにより、接続プラグ側信号線５３を接続線５Ｃとして利用することができる。これより、第２の実施形態と同様に、図１４に示すような従来例の不都合を解消することができる。
【００６６】
また、接続プラグ側信号線５２、５３を切替手段９によって選択的に切り換えることにより、使用していない接続プラグ側信号線（図６においては、接続プラグ側信号線５３）から不要な電波を受信しないようにすることが可能となっている。
【００６７】
以上のことから、本発明のアンテナ内蔵ストラップによって、接続線に引張応力を生じさせることを防止することが可能となる。これにより、当該接続プラグが抜け落ちたり、接続線が携帯用電子機器の重量に耐えきれずに破断したりすることを防止する効果を奏する。
【００６８】
また、本発明のアンテナ内蔵ストラップによって、携帯用電子機器に接続する接続線の取付位置を選択的に変更することが可能となり、当該携帯用電子機器等の受信感度の低下を防止するという効果を奏する。
【００６９】
さらに、本発明のアンテナ内蔵ストラップは、携帯用電子機器のチューナに接続された制御手段を制御する遠隔制御手段を有していることから、アンテナ内蔵ストラップの利便性が向上するという効果を奏する。
【００７０】
なお、本発明は、前述した実施形態などに限定されるものではなく、必要に応じて種々の変更が可能である。
【図面の簡単な説明】
【００７１】
【図１】本発明のアンテナ内蔵ストラップの第１の実施形態を示した平面図；（ａ）は、携帯用電子機器との未接続状態、（ｂ）は、携帯用電子機器との接続状態を示している。
【図２】各実施形態のアンテナ内蔵ストラップの外部アンテナに同軸ケーブルを有する接続線が接続された状態を示した平面図
【図３】各実施形態のアンテナ内蔵ストラップの構造を示した概念的な回路図
【図４】第２の実施形態のアンテナ内蔵ストラップの一態様を示した平面図
【図５】第２の実施形態のアンテナ内蔵ストラップの他の態様を示した平面図
【図６】第２もしくは第３の実施形態のアンテナ内蔵ストラップを接続した携帯用電子機器を横方向に保持した状態を示す正面図
【図７】第２もしくは第３の実施形態のアンテナ内蔵ストラップを接続した携帯用電子機器を縦方向に保持した状態を示す正面図
【図８】第３の実施形態のアンテナ内蔵ストラップを示した平面図
【図９】第３の実施形態のアンテナ内蔵ストラップに配設された切替手段を概念的に示した回路図
【図１０】従来のダイバーシティアンテナ兼用ヘッドホーンを示した平面図
【図１１】従来の携帯電話機用イヤホーンを示した平面図
【図１２】従来のダイバーシティアンテナ兼用ヘッドホーンから携帯用電子機器が脱落する状態を示した平面図
【図１３】従来の携帯電話機用イヤホーンの接続線が破断した状態を示した平面図
【図１４】ダイバーシティアンテナ兼用ヘッドホーンもしくは携帯電話機用イヤホーンを接続した携帯用電子機器を横方向に保持した状態を示す概念斜視図
【符号の説明】
【００７２】
１Ａ、１Ｂ、１Ｃ  アンテナ内蔵ストラップ
２  ストラップ本体
２ａ  ストラップ部
２ｂ  結束部
２ｃ  連結部
２ｓ  挿通孔
３  外部アンテナ
５、５Ａ、５Ｂ、５Ｃ  接続線
５ａ  給電線
５ｂ  接地線
５ｃ、５ｄ  接続プラグ
５ｓ  接続線と接続プラグとの接続部
５ｐ  ５ｒ  接続コネクタ
６  遠隔制御手段
６ａ  （遠隔制御手段の）給電線
６ｂ  （遠隔制御手段の）接地線
７Ａ、７Ｂ、７Ｃ、７Ｄ  スイッチ
７ａ、７ｂ、７ｃ、７ｄ  スイッチの入力面
９  切替手段
９ａ  切替レバー
１１  携帯用電子機器
１１ａ、１１ｃ  接続リセプタクル（携帯用電子機器側のコネクタ）
１１ｂ  （連結部の）取付孔
１２  ホイップアンテナ
１３  内蔵アンテナ
１４  アンテナ切替手段
１５  チューナ
１６  制御手段
１７  ディスプレイ
１８  スピーカ
１９  電源
１９ａ  接地導体
５１  外部アンテナ側信号線
５２、５３  接続プラグ側信号線
Ｄ  連結時の挿通孔と接続部との最短距離
Ｓ  接続線の長さ
【図１】
2006319735.tif 000003
【図２】
2006319735.tif 000004
【図３】
2006319735.tif 000005
【図４】
2006319735.tif 000006
【図５】
2006319735.tif 000007
【図６】
2006319735.tif 000008
【図７】
2006319735.tif 000009
【図８】
2006319735.tif 000010
【図９】
2006319735.tif 000011
【図１０】
2006319735.tif 000012
【図１１】
2006319735.tif 000013
【図１２】
2006319735.tif 000014
【図１３】
2006319735.tif 000015
【図１４】
2006319735.tif 000016